【手続補正書】
【提出日】平成22年2月26日(2010.2.26)
【手続補正１】
【補正対象書類名】明細書
【補正対象項目名】発明の名称
【補正方法】変更
【補正の内容】
【発明の名称】ディジタル映像音声情報受信装置、ディジタル映像音声情報受信方法およびディジタル映像音声情報送受信方法
【手続補正２】
【補正対象書類名】明細書
【補正対象項目名】０００８
【補正方法】変更
【補正の内容】
【０００８】
上記目的は、例えば特許請求の範囲に記載の技術的思想により達成できる。
【手続補正３】
【補正対象書類名】特許請求の範囲
【補正対象項目名】全文
【補正方法】変更
【補正の内容】
【特許請求の範囲】
【請求項１】
ディジタル映像音声情報を受信するディジタル映像音声情報受信装置であって、
前記ディジタル映像音声情報は、コピー制御情報によってコピー制御が指定されており、
前記コピー制御情報は、２ビットの第１の情報と、１ビットの第２の情報により、少なくとも、コピーの制限なく、かつ、暗号化しないで出力する第１の状態と、コピーの制限なく、かつ、暗号化して出力する第２の状態と、１世代のみコピー可で、かつ、暗号化して出力する第３の状態と、コピー禁止で、かつ、暗号化して出力する第４の状態とを表す情報であり、
前記ディジタル映像音声情報を受信する受信手段と、
前記受信手段で受信した前記ディジタル映像音声情報を記録媒体に記録再生する記録再生手段と、
第１のインターフェースを介して外部機器と接続され、前記第１のインターフェースに接続された外部機器の認証を行い、前記受信手段で受信した前記ディジタル映像音声情報を第１の暗号鍵により暗号化して複数の外部機器に出力可能な第１の出力手段と、
前記第１のインターフェースと異なる仕様の第２のインターフェースを介して外部機器と接続され、前記第２のインターフェースに接続された外部機器の認証を行い、前記受信手段で受信した前記ディジタル映像音声情報を第２の暗号鍵により暗号化して複数の外部機器に出力可能な第２の出力手段と、
前記受信手段における受信の制御、前記記録再生手段における記録再生の制御、前記第１の出力手段における出力の制御、および前記第２の出力手段における出力の制御を行う制御手段とを備え、
前記制御手段は、
前記記録再生手段における記録再生の制御においては、前記ディジタル映像音声情報のコピー制御を指定する前記コピー制御情報が前記第３の状態であるときには、前記ディジタル映像音声情報をこれ以上のコピーを認めない状態で記録し、前記ディジタル映像音声情報のコピー制御を指定する前記コピー制御情報が前記第４の状態であるときには、前記ディジタル映像音声情報の再生できる期間を制限した一時記録以外での記録を禁止し、
前記第１の出力手段または前記第２の出力手段における出力の制御においては、前記ディジタル映像音声情報のコピー制御を指定する前記コピー制御情報が、前記第２の状態、前記第３の状態、および前記第４の状態であるときには、前記第１の出力手段または前記第２の出力手段からの前記ディジタル映像音声情報の出力において、前記ディジタル映像音声情報を暗号化して、認証された外部機器のみに出力し、前記ディジタル映像音声情報を同時に出力する外部機器の総数が所定数以内となるように制限する
ことを特徴とするディジタル映像音声情報受信装置。
【請求項２】
ディジタル映像音声情報を受信するディジタル映像音声情報受信方法であって、
前記ディジタル映像音声情報は、コピー制御情報によってコピー制御が指定されており、
前記コピー制御情報は、２ビットの第１の情報と、１ビットの第２の情報により、少なくとも、コピーの制限なく、かつ、暗号化しないで出力する第１の状態と、コピーの制限なく、かつ、暗号化して出力する第２の状態と、１世代のみコピー可で、かつ、暗号化して出力する第３の状態と、コピー禁止で、かつ、暗号化して出力する第４の状態とを表す情報であり、
前記ディジタル映像音声情報を受信する受信ステップと、
受信した前記ディジタル映像音声情報を記録媒体に記録再生する記録再生ステップと、
第１のインターフェースを介して接続された外部機器の認証を行い、受信した前記ディジタル映像音声情報を第１の暗号鍵により暗号化して前記第１のインターフェースを介して複数の外部機器に出力し、前記第１のインターフェースと異なる仕様の第２のインターフェースを介して接続された外部機器の認証を行い、受信した前記ディジタル映像音声情報を第２の暗号鍵により暗号化して前記第２のインターフェースを介して複数の外部機器に出力する出力ステップとを有し、
前記記録再生ステップでは、前記ディジタル映像音声情報のコピー制御を指定する前記コピー制御情報が前記第３の状態であるときには、前記ディジタル映像音声情報をこれ以上のコピーを認めない状態で記録し、前記ディジタル映像音声情報のコピー制御を指定する前記コピー制御情報が前記第４の状態であるときには、前記ディジタル映像音声情報の再生できる期間を制限した一時記録以外での記録を禁止し、
前記出力ステップでは、前記ディジタル映像音声情報のコピー制御を指定する前記コピー制御情報が、前記第２の状態、前記第３の状態、および前記第４の状態であるときには、前記第１のインターフェースを介して接続された外部機器への前記ディジタル映像音声情報の出力または前記第２のインターフェースを介して接続された外部機器への前記ディジタル映像音声情報の出力において、前記ディジタル映像音声情報を暗号化して、認証された外部機器のみに出力し、前記ディジタル映像音声情報を同時に出力する外部機器の総数が所定数以内となるように制限する
ことを特徴とするディジタル映像音声情報受信方法。
【請求項３】
ディジタル映像音声情報を送受信するディジタル映像音声情報送受信方法であって、
２ビットの第１の情報と、１ビットの第２の情報よりなり、少なくとも、コピーの制限なく、かつ、暗号化しないで伝送する第１の状態と、コピーの制限なく、かつ、暗号化して伝送する第２の状態と、１世代のみコピー可で、かつ、暗号化して伝送する第３の状態と、コピー禁止で、かつ、暗号化して伝送する第４の状態とを表すコピー制御情報によりコピー制御が指定されるディジタル映像音声情報を送信する送信ステップと、
送信した前記ディジタル映像音声情報を受信する受信ステップと、
受信した前記ディジタル映像音声情報を記録媒体に記録再生する記録再生ステップと、
第１のインターフェースを介して接続された外部機器の認証を行い、受信した前記ディジタル映像音声情報を第１の暗号鍵により暗号化して前記第１のインターフェースを介して複数の外部機器に出力し、前記第１のインターフェースと異なる仕様の第２のインターフェースを介して接続された外部機器の認証を行い、受信した前記ディジタル映像音声情報を第２の暗号鍵により暗号化して前記第２のインターフェースを介して複数の外部機器に出力する出力ステップとを有し、
前記記録再生ステップでは、前記ディジタル映像音声情報のコピー制御を指定する前記コピー制御情報が前記第３の状態であるときには、前記ディジタル映像音声情報をこれ以上のコピーを認めない状態で記録し、前記ディジタル映像音声情報のコピー制御を指定する前記コピー制御情報が前記第４の状態であるときには、前記ディジタル映像音声情報の再生できる期間を制限した一時記録以外での記録を禁止し、
前記出力ステップでは、前記ディジタル映像音声情報のコピー制御を指定する前記コピー制御情報が、前記第２の状態、前記第３の状態、および前記第４の状態であるときには、前記第１のインターフェースを介して接続された外部機器への前記ディジタル映像音声情報の出力または前記第２のインターフェースを介して接続された外部機器への前記ディジタル映像音声情報の出力において、前記ディジタル映像音声情報を暗号化して、認証された外部機器のみに出力し、前記ディジタル映像音声情報を同時に出力する外部機器の総数が所定数以内となるように制限する
ことを特徴とするディジタル映像音声情報送受信方法。